(57)【要約】【課題】被熱環境におかれた場合に、均一な光学特性を保持することが可能で、場合によっては接触音等の発生も防止ないし抑制することが可能な光学部材を提供する。【解決手段】本発明の光学部材１５は、光の拡散を行う光拡散シート３１と、複数のレンズ３４が配置されてなるレンズシート３２と、を備え、前記光拡散シート３１と前記レンズシート３２とは、互いに貼り合わされてなり、前記光拡散シート３１の線膨張係数α１と、前記レンズシート３２の線膨張係数α２とが異なる値を示し、前記光拡散シート３１及び前記レンズシート３２のうち前記線膨張係数が小さいシート側に凸に湾曲していることを特徴とする。【選択図】図５
2009116097.tif 000002
【特許請求の範囲】
【請求項１】
光の拡散を行う光拡散シートと、複数のレンズが配置されてなるレンズシートと、を備え、
前記光拡散シートと前記レンズシートとは、互いに貼り合わされてなり、
前記光拡散シートの線膨張係数α１と、前記レンズシートの線膨張係数α２とが異なる値を示し、
前記光拡散シート及び前記レンズシートのうち前記線膨張係数が小さいシート側に凸に湾曲していることを特徴とする光学部材。
【請求項２】
前記光拡散シート及び前記レンズシートはともに四角形とされ、当該四角形の長辺方向及び短辺方向に沿って、前記線膨張係数が小さいシート側に凸に湾曲していることを特徴とする請求項１に記載の光学部材。
【請求項３】
前記光拡散シート及び前記レンズシートはともに四角形とされ、当該四角形の長辺方向に沿って、前記線膨張係数が小さいシート側に凸に湾曲していることを特徴とする請求項１に記載の光学部材。
【請求項４】
光源と、前記光源の光出射側に配された請求項１ないし請求項３のいずれか１項に記載の光学部材と、を備えることを特徴とする表示装置用照明装置。
【請求項５】
前記光源を収容し、光が出射する開口部を有したシャーシと、
前記光源を前記シャーシに取り付けるための光源保持部材と、を備え、
前記光学部材は、前記シャーシの開口部に取り付けられるとともに、前記光源から遠ざかる方向に凸に湾曲してなるものであり、
前記光源保持部材には、前記光学部材を支持することが可能な支持部材が設けられていることを特徴とする請求項４に記載の表示装置用照明装置。
【請求項６】
請求項４又は請求項５に記載の表示装置用照明装置と、前記表示装置用照明装置の光出射側に配される表示パネルと、を備えることを特徴とする表示装置。
【請求項７】
前記表示パネルは、一対の基板間に液晶層を挟持してなる液晶パネルであることを特徴とする請求項６に記載の表示装置。
【請求項８】
請求項６又は請求項７に記載の表示装置を備えることを特徴とするテレビ受信装置。
【発明の詳細な説明】
【技術分野】
【０００１】
本発明は、光学部材、表示装置用照明装置、表示装置、及びテレビ受信装置に関する。
【背景技術】
【０００２】
液晶表示装置は、表示パネルである液晶パネルと、液晶パネルの背面側に設置される外部光源であるバックライト装置とから構成される。このうち、バックライト装置には、複数本の線状光源（例えば冷陰極管）と、各冷陰極管から発せられる線状の光を面状に変換するための光学部材と、光学部材を支持する支持ピンが備えられている。従来、光学部材は、拡散板、拡散シート、レンズシート、及び反射型偏光板等が複数枚積層された構成とされている。しかしながら、このような構成では、出射光が表示に使われない方向に拡散され易く、光の利用効率が芳しくない、という問題があった。
【０００３】
そこで、光の利用効率を改善した光学部材の一例として下記特許文献１に開示されたものが知られている。特許文献１に記載の光学部材は、入射光を散乱する光散乱層と、当該光散乱層と固定され、光散乱層によって散乱された光を反射する光反射層と、当該光反射層と固定され、複数のレンズが配置されてなるレンズシートとが一体化された構成とされ、光反射層の一部を複数のレンズのおのおのにそれぞれ対応して設けられた複数の低屈折領域で貫通させてなるものとされている。
【０００４】
当該光学部材によれば、光散乱層において散乱された光のうち、散乱角度が絞られた光のみを低屈折率領域からレンズに入射させることができる。さらに、レンズに入射されなかった光は、光反射層で反射されて光散乱層側に戻され、再び光散乱層で散乱された後、いずれはレンズに入射されることとなる。したがって、出射光の拡散範囲を制御することができ、光の利用効率を改善できるのである。
【特許文献１】特開２００６−１０６１９７公報
【発明の開示】
【発明が解決しようとする課題】
【０００５】
ところで、上記のような光学部材を使用した場合、異なる材料からなる各層が一体化されているため、次のような問題が生じる場合がある。すなわち、各層は異なる材料からなるため、各層ごとに線膨張係数が異なることとなり、冷陰極管の点灯に伴う温度上昇に対して、互いに異なる延伸量で膨張し、光学部材全体として一方向への反りが生じる場合がある。
【０００６】
例えば、光散乱層の線膨張係数が、レンズシートの線膨張係数よりも大きい場合には、当該光学部材は、冷陰極管を点灯すると、全体として光散乱層側（すなわち、冷陰極管側）に凸に反ることとなり、光学部材の表面にシワが発生する。特にこの場合、液晶パネル側に比べて、冷陰極管側は高温になり易いため、上記の反りはより顕著なものとなる。このようなシワが発生すると、その前面にある液晶パネルに影が映り、輝度が不均一になる場合があった。また、一方で、光学部材の反りに起因して、当該光学部材が他の構成部材と接触し、接触音（軋み音）発生等の不具合が生じる場合もあった。
【０００７】
本発明は、上記のような事情に基づいてなされたものであって、被熱環境におかれた場合に均一な光学特性を保持することが可能で、場合によっては接触音等の発生も防止ないし抑制することが可能な光学部材を提供することを目的としている。また、本発明は、そのような光学部材を備えることにより照明輝度の均一性が高い表示装置用照明装置、さらに、そのような表示装置用照明装置を備えた表示装置を提供することを目的とする。
【課題を解決するための手段】
【０００８】
上記課題を解決するために、本発明の光学部材は、光の拡散を行う光拡散シートと、複数のレンズが配置されてなるレンズシートと、を備え、前記光拡散シートと前記レンズシートとは、互いに貼り合わされてなり、前記光拡散シートの線膨張係数α１と、前記レンズシートの線膨張係数α２とが異なる値を示し、前記光拡散シート及び前記レンズシートのうち前記線膨張係数が小さいシート側に凸に湾曲していることを特徴とする。
【０００９】
このように、光拡散シートとレンズシートとを貼り合わせ、これらのうち線膨張係数が小さい側へ凸に湾曲した構成とすることにより、光学部材が被熱環境下におかれた場合には、当該光学部材の湾曲の変形量が小さくなり、均一な光学特性を保持することが可能となる。
被熱環境下においては、光拡散シートとレンズシートとの線膨張係数が異なると、線膨張係数が大きいシートは、線膨張係数が小さいシートに比してより大きく延伸する。ここで、両シートは互いに独立に延伸することができないため、湾曲のない平坦な構成の光学部材では、全体として、線膨張係数が小さいシートを内側にして（凹にして）反りを生じることとなる。このような反りが生じると光学部材にシワが発生し、例えば当該光学部材を照明装置に用いた場合、当該光学部材に生じたシワが影となって視認され、照明輝度の均一性を保持することができない場合がある。
【００１０】
しかしながら、本発明によれば、予め線膨張係数が小さいシート側に凸に湾曲させた構成としているため、照明時に当該光学部材が熱を受けることによって生じる反りを相殺することが可能となる。すなわち、当該光学部材は、被熱環境下で線膨張係数が小さいシート側に凹に反っていくのに対し、予め反対方向に凸に湾曲した構成とされているため、照明時にはこの湾曲の変形量が小さくなって略平坦面をなすこととなり、均一な照明輝度を得ることが可能となる。
【００１１】
また、本発明の光学部材において、前記光拡散シート及び前記レンズシートはともに四角形とされ、当該四角形の長辺方向及び短辺方向に沿って、前記線膨張係数が小さいシート側に凸に湾曲しているものとすることができる。
この場合、光学部材は、線膨張係数が小さいシート側に略球面状（ドーム状）に湾曲していることとなる。一方、当該光学部材が被熱環境におかれた場合に生じる反りは、線膨張係数が大きいシート側にドーム状をなす場合が多い。そこで、光学部材を、その長辺方向及び短辺方向に沿ってドーム状に湾曲させておくことにより、当該光学部材に生じ易い反りの形状と対称をなすこととなり、当該反りを相殺し易いものとすることが可能となる。
【００１２】
また、前記光拡散シート及び前記レンズシートはともに四角形とされ、当該四角形の長辺方向に沿って、前記線膨張係数が小さいシート側に凸に湾曲しているものとすることができる。
この場合、光学部材は、線膨張係数が小さいシート側にアーチ状に湾曲していることとなる。すなわち、光学部材をその長辺方向に沿って湾曲したものとすると、当該光学部材の短辺は略直線状となり、この光学部材を照明装置に配設する場合に、短辺全体を把持することで、当該方向の反りを抑制することが可能となる。一方、長辺方向は、サイズ効果により反りの程度が大きくなり易いため、光学部材を当該長辺方向に沿って予め湾曲させておくことにより、その反りを相殺することが可能となる。
【００１３】
次に、上記課題を解決するために、本発明の表示装置用照明装置は、光源と、前記光源の光出射側に配された上記光学部材と、を備えることを特徴とする。
このような表示装置用照明装置によると、均一性に優れた照明光を表示装置に対して供することが可能となる。
【００１４】
また、本発明の表示装置用照明装置において、前記光源を収容し、光が出射する開口部を有したシャーシと、前記光源を前記シャーシに取り付けるための光源保持部材と、を備え、前記光学部材は、前記シャーシの開口部に取り付けられるとともに、前記光源から遠ざかる方向に凸に湾曲してなるものであり、前記光源保持部材には、前記光学部材を支持することが可能な支持部材が設けられているものとすることができる。
【００１５】
この場合、光源を点灯すると、光源から遠ざかる方向に凸に湾曲していた光学部材が、当該湾曲方向と反対方向（すなわち、光源側）へ反りを生じることとなる。ここで、光学部材が支持部材を強く押圧すると、光学部材と支持部材との擦れによる軋み音が生じる場合がある。しかしながら、本発明によれば、光学部材は予め光源とは遠ざかる方向に湾曲しているため、光源の点灯により光学部材に反りが生じた場合も支持部材を強く押圧することがなく、軋み音を抑止することが可能となる。
さらに、例えば光学部材の反りの程度が非常に大きくなり、光学部材が光源側に凸に反り得る状態になった場合にも、支持部材と当接することで光源側への反りが抑制されるため、当該光学部材が光源に接触することを抑止することができる。
【００１６】
次に、上記課題を解決するために、本発明の表示装置は、上記表示装置用照明装置と、前記表示装置用照明装置の光出射側に配される表示パネルと、を備えることを特徴とする。表示パネルとしては、例えば一対の基板間に液晶層を挟持してなる液晶パネルを用いて液晶表示装置を好適に実現することができる。また、このような表示装置を備えるテレビ受信装置においては、高品質の表示を行うことが可能となる。
【発明の効果】
【００１７】
本発明の光学部材によると、被熱環境におかれた場合に均一な光学特性を保持することが可能で、場合によっては接触音等の発生も防止ないし抑制することが可能となる。また、本発明の表示装置用照明装置によると、そのような光学部材を用いてなるため、照明輝度の均一性に優れた照明光を表示装置に対して供することが可能となる。また、本発明の表示装置及びテレビ受信装置によると、そのような表示装置用照明装置を用いてなるため、高い表示品質を提供することが可能となる。
【発明を実施するための最良の形態】
【００１８】
本発明の実施形態を図１ないし図７によって説明する。本実施形態では、液晶表示装置１０を備えるテレビ受信装置ＴＶについて例示する。
図１は本実施形態のテレビ受信装置の概略構成を示す分解斜視図、図２は図１のテレビ受信装置が備える液晶表示装置の概略構成を示す分解斜視図、図３は図２の液晶表示装置のＡ−Ａ線断面図、図４は図２の液晶表示装置のＢ−Ｂ線断面図、図５は図２の液晶表示装置に備わる光学部材のＡ−Ａ線拡大断面図、図６は図２の液晶表示装置に備わる光学部材のＢ−Ｂ線拡大断面図、図７はその光学部材の作用効果を説明する図である。
【００１９】
本実施形態に係るテレビ受信装置ＴＶは、図１に示すように、液晶表示装置（表示装置）１０と、当該液晶表示装置１０を挟むようにして収容する表裏両キャビネットＣａ，Ｃｂと、電源Ｐと、チューナーＴと、スタンドＳとを備えて構成される。液晶表示装置１０は、全体として横長の方形をなし、図２に示すように、表示パネルである液晶パネル１１と、外部光源であるバックライト装置（表示装置用照明装置）１２とを備え、これらがベゼル１３などにより一体的に保持されるようになっている。
【００２０】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ（赤色），Ｇ（緑色），Ｂ（青色）等の各着色部が所定配列で配置されたカラーフィルタ等が設けられている。
【００２１】
バックライト装置１２は、いわゆる直下型のバックライト装置であって、液晶パネル１１のパネル面（すなわち表示面）の背面直下に、当該パネル面に沿って線状光源（ここでは高圧放電管として冷陰極管（光源）１７を用いている）を複数具備した構成となっている。
【００２２】
より詳細には、バックライト装置１２は、上面側に開口部１４ａを有する略箱型をなすシャーシ１４と、シャーシ１４の開口部１４ａを覆うようにして取り付けられる複数の光学部材１５と、これら光学部材１５をシャーシ１４に保持するためのフレーム１６とを備える。さらに、シャーシ１４内には、冷陰極管１７と、冷陰極管１７群の両端部を一括して覆うランプホルダ１８と、冷陰極管１７をシャーシ１４に取り付けるためのランプクリップ（光源保持部材）２０とが配設されている。なお、当該バックライト装置１２においては、冷陰極管１７よりも光学部材１５側が光出射側となっている。
【００２３】
ランプクリップ２０は、クリップ状の光源保持部材として機能し、合成樹脂製（例えばポリカーボネート製）とされている。このランプクリップ２０には、冷陰極管１７を直接保持するための光源保持部２１とともに、後に詳述する光学部材１５を支持することが可能な支持ピン（支持部材）２２が突設されている。
【００２４】
また、シャーシ１４は、金属製の板金からなり、当該シャーシ１４のうち、冷陰極管１７の光出射側とは反対側に光反射シート１９が配設され、これにより光反射面が形成されている。このような光反射シート１９を含むシャーシ１４により、冷陰極管１７から出射された光を光学部材１５側に反射させることが可能となっている。
【００２５】
光学部材１５は、線状光源である各冷陰極管１７から発せられる線状の光を面状に変換するとともに、その光を液晶パネル１１における有効表示領域に向けて方向付ける等の機能を有する。この光学部材１５は、液晶パネル１１やシャーシ１４と同様に横長の四角形に形成されており、図３及び図４に示すように、その長辺方向を冷陰極管１７の軸線方向（Ｂ−Ｂ線方向）と同じくするとともに、その短辺方向を冷陰極管１７の並列方向（Ａ−Ａ線方向）と同じくして配設されている。さらに、光学部材１５は、その短辺方向及び長辺方向に沿って、液晶パネル１１側（冷陰極管１７から遠ざかる方向）に凸に湾曲している。
【００２６】
光学部材１５の構成は、図５及び図６に示すように、拡散シート（光拡散シート）３１とレンズシート３２とが互いに貼り合わされた構成とされている。このうち、拡散シート３１は、入射光の拡散を行うものであって、透光性を有するポリスチレンからなる基材を有し、その内部には光を散乱させる光散乱粒子が分散配合された構成とされている。なお、本実施形態ではポリスチレンからなる基材を用いるものとしたが、例えばポリカーボネート、ポリメチルメタクリレート等の合成樹脂から好適に選択することが可能である。
【００２７】
レンズシート３２は、集光に異方性をもたせるべく（つまり所定方向の光を選択的に集光するべく）、ポリエチレンテレフタラートからなる透光性基材３３上に、複数の凸シリンドリカルレンズ３４が並列配置されてなるレンズ部３５を有して構成されている。本実施形態では、レンズ部３５はアクリル製とされている。この場合の凸シリンドリカルレンズ３４は、半円柱状の凸レンズが基材長辺方向に延在しており、短辺方向に並列配置された構成となっている。なお、本実施形態ではポリエチレンテレフタラートからなる透光性基材３３を用いるものとしたが、例えばポリカーボネート、ポリメチルメタクリレート等の合成樹脂から好適に選択することが可能である。
【００２８】
また、拡散シート３１とレンズシート３２との間には、各凸シリンドリカルレンズ３４の境界部と平面視重畳する位置に選択的に配された反射層３６がストライプ状に形成されている。なお、隣り合う反射層３６の間の部分、つまり凸シリンドリカルレンズ３４の焦点位置と平面視重畳する位置には、透光部３７が形成されている。すなわち、反射層３６及び透光部３７は、それぞれが凸シリンドリカルレンズ３４の長手方向と略平行な所定幅の筋状をなしており、全体としてストライプ状をなしている。
【００２９】
反射層３６は、各凸シリンドリカルレンズ３４の谷部を中心とした所定幅の領域に形成されるのに対し、透光部３７は各凸シリンドリカルレンズ３４の頂点を中心とした所定幅の領域に形成されている。当該反射層３６は、例えば白色の酸化チタン微粒子が分散混入された樹脂基材等からなる。一方、透光部３７は空気層とされており、その屈折率が拡散シート３１やレンズシート３２とは相異している。なお、凸シリンドリカルレンズ３４の配列周期（レンズピッチ）及び反射層３６の配列周期（反射層ピッチ）は、ほぼ同じに設定されており、例えば１４０μｍ程度とされている。
【００３０】
図２及び図３に戻り、冷陰極管１７は、線状光源の一種であり、その軸方向をシャーシ１４の長辺方向と一致させた姿勢でシャーシ１４内に取り付けられており、複数本が互いの軸を略平行にし、かつ互いの間に所定の間隔を空けた状態で並べられている。
【００３１】
各冷陰極管１７から照射された光は、光学部材１５の透光部３７を通過すると、そのまま凸シリンドリカルレンズ３４に入射して、その指向性が液晶パネル１１の有効表示領域に向けて方向付けられつつ出射される。一方、透光部３７を通過しない光は、反射層３６で反射されて冷陰極管１７側に戻り、光反射シート１９等によって再度光学部材１５側に出射されるものとされており、透光部３７を通過するまで反射を繰り返すことで、光の再利用を図る構成となっている。
【００３２】
ところで、上記した光学部材１５は、拡散シート３１が冷陰極管１７側、レンズシート３２が液晶パネル１１側とされて、当該液晶表示装置１０に配設される。ここで、本実施形態では、拡散シート３１の線膨張係数α１は７×１０−５ｍｍ／℃である一方、レンズシート３２の線膨張係数α２は２×１０−５ｍｍ／℃であり、レンズシート３２の線膨張係数α２の方が小さい値を示す。つまり、当該光学部材１５の略球面状（ドーム状）の湾曲は、線膨張係数が小さい値を示すレンズシート３２側に凸とされていることとなる。
【００３３】
上記態様にて湾曲する光学部材１５は、例えば、予め湾曲させておいた拡散シート３１に、別途湾曲させておいたレンズシート３２を貼付することにより得られる。また、異なる手法として、予め湾曲させておいた拡散シート３１を準備し、これにレンズシート３２を貼付する際に、当該レンズシート３２の表裏で温度勾配をかけながら拡散シート３１の湾曲に倣って貼付する等の手法を採用することができる。
【００３４】
以上の構成による本実施形態に係る液晶表示装置１０及びテレビ受信装置ＴＶによると、以下のような作用効果が奏される。
本実施形態に係る液晶表示装置１０に備わる光学部材１５は、拡散シート３１とレンズシート３２とが貼り合わされた構成とされ、当該拡散シート３１と当該レンズシート３２のうち線膨張係数が小さいレンズシート３２側に凸に湾曲したものとされている。
このような構成によれば、液晶表示装置１０の冷陰極管１７を点灯することで、当該光学部材１５が被熱環境におかれることになった場合に、その湾曲の変形量が小さくなり、均一な光学特性を保持することが可能となる。
【００３５】
上記作用効果について、図５及び図７を用いて以下に説明する。
冷陰極管１７の非点灯時には、液晶表示装置１０内は常温環境にあり、光学部材１５は、図５に示すように、線膨張係数が小さいレンズシート３２側に凸に湾曲している。これに対し、冷陰極管１７を点灯すると、液晶表示装置１０内の温度が上昇し、光学部材１５は被熱環境におかれることとなる。この場合に、レンズシート３２に比して拡散シート３１の線膨張係数は大きいため、拡散シート３１はレンズシート３２よりも大きく延伸する。さらに、拡散シート３１は冷陰極管１７に近い側に配されているため、より高温となり易く、拡散シート３１とレンズシート３２との延伸量の差異はより顕著になる。ここで、拡散シート３１とレンズシート３２とは、互いに貼り合わされており、それぞれ独立に延伸することができないため、光学部材１５には熱膨張係数が大きい（すなわち延伸量が大きい）拡散シート３１側に凸に反りを生じる力が働くこととなる。
その結果、予め線膨張係数が小さいレンズシート３２側に凸に湾曲していた光学部材１５（図５参照）は、図７に示すように、その湾曲量が小さくなって略平坦面をなすものとなる。これにより、冷陰極管１７の点灯時、つまり映像が表示されているときには、光学部材１５は均一な光学特性を有する状態となるため、液晶パネル１１の全体に亘って均一に光照射することが可能となる。ここでいう均一な光学特性を有する状態とは、具体的には、光学部材１５と、液晶パネル１１或いは冷陰極管１７との間の距離が、当該光学部材１５面内において均一となることをいう。
【００３６】
また、本実施形態では、拡散シート３１及びレンズシート３２は四角形とされ、その長辺方向及び短辺方向に沿って、線膨張係数が小さいレンズシート３２側に凸に湾曲しているものとされている。
この場合、光学部材１５は、線膨張係数が小さいレンズシート３２側に略球面状（ドーム状）に湾曲していることとなる。これに対し、当該光学部材１５が被熱環境におかれた場合に生じる反りは、線状膨係数の大きい拡散シート側にドーム状をなす場合が多い。そこで、光学部材１５を、その長辺方向及び短辺方向に沿ってドーム状に湾曲させておくことにより、当該光学部材１５に生じ易い反りの形状と対称をなすこととなり、この反りを相殺して略平坦面を形成し易いものとすることが可能となる。
【００３７】
また、本実施形態では、光学部材１５は冷陰極管１７から遠ざかる方向に凸に湾曲してなり、シャーシ１４に備わるランプクリップ２０には、当該光学部材１５を支持することが可能な支持ピン２２が設けられている。
このように、光学部材１５を予め冷陰極管１７から遠ざかる方向に凸に湾曲させることにより、冷陰極管１７の点灯により光学部材１５に反りが生じた場合にも支持ピン２２を強く押圧することがない。その結果、光学部材１５と支持ピン２２との擦れにより生じる軋み音を抑止することが可能となる。
さらに、例えば光学部材１５の反りの程度が非常に大きくなり、当該光学部材１５が冷陰極管１７側に凸に反り得る状態になった場合にも、支持ピン２２と当接することでその反りが抑制されるため、当該光学部材１５が冷陰極管１７に接触することを抑止することができる。
【００３８】
以上、本発明の実施形態について示したが、本発明は上記記述及び図面によって説明した実施形態に限定されるものではなく、例えば次のような実施形態も本発明の技術的範囲に含まれる。
【００３９】
（１）上記した実施形態では、光学部材１５をその長辺方向及び短辺方向に沿って湾曲した構成としたが、長辺方向に沿ってのみ線膨張係数が小さいシート側へ凸に湾曲した構成としても良い。
この場合、光学部材は、線膨張係数が小さいシート側にアーチ状に湾曲していることとなる。すなわち、光学部材をその長辺方向に沿って湾曲したものとすると、当該光学部材の短辺は略直線状となり、この光学部材をバックライト装置１２に配設する場合に、短辺全体を把持することで、当該方向の反りを抑制することが可能となる。一方、長辺方向は、サイズ効果により反りの程度が大きくなり易いため、光学部材を当該長辺方向に沿って予め湾曲させておくことにより、その反りを相殺することが可能となる。
【００４０】
（２）上記した実施形態では、レンズシート３２の線膨張係数α２が拡散シートの線膨張係数α１よりも小さく、光学部材１５をレンズシート３２側（つまり液晶パネル１１側）へ凸に湾曲するものとしたが、例えば図８及び図９に示すような態様としても良い。すなわち、拡散シート４１の線膨張係数α１がレンズシート４２の線膨張係数α２よりも小さいものとされ、当該拡散シート４１と当該レンズシート４２とを貼り合わせてなる光学部材４０は、拡散シート４１側（つまり冷陰極管１７側）へ凸に湾曲しているものとしても良い。
【００４１】
（３）上記した実施形態では、拡散シート３１とレンズシート３２との間に反射層３６を介在させる構成としたが、当該反射層３６は必ずしも設けなくとも良い。ただし、この反射層３６を所定位置に設けることにより、光学部材１５は光の再利用を図ることができ、バックライト装置１２の照明輝度向上に寄与しているため、反射層３６を設ける構成の方がより好ましい。
【００４２】
（４）上記した実施形態では、光源として冷陰極管１７を使用した場合を示したが、例えば熱陰極管等、他の種類の光源を用いたものも本発明に含まれる。
【００４３】
（５）上記した実施形態では、液晶表示装置１０のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００４４】
（６）上記した実施形態では、表示パネルとして液晶パネル１１を用いた液晶表示装置１０を例示したが、他の種類の表示パネルを用いた表示装置にも本発明は適用可能である。
【図面の簡単な説明】
【００４５】
【図１】本発明の一実施形態に係るテレビ受信装置の概略構成を示す分解斜視図。
【図２】図１のテレビ受信装置が備える液晶表示装置の概略構成を示す分解斜視図。
【図３】図２の液晶表示装置のＡ−Ａ線断面図。
【図４】図２の液晶表示装置のＢ−Ｂ線断面図。
【図５】図２の液晶表示装置が備える光学部材のＡ−Ａ線拡大断面図。
【図６】図２の液晶表示装置が備える光学部材のＢ−Ｂ線拡大断面図。
【図７】光学部材の作用効果を説明する図。
【図８】光学部材の一変形例を示す短辺方向拡大断面図。
【図９】光学部材の一変形例を示す長辺方向拡大断面図。
【符号の説明】
【００４６】
１０…液晶表示装置（表示装置）、１１…液晶パネル（表示パネル）、１２…バックライト装置（表示装置用照明装置）、１４…シャーシ、１４ａ…シャーシの開口部、１５…光学部材、１７…冷陰極管（光源）、２０…ランプクリップ（光源保持部材）、２２…支持ピン（支持部材）、３１…拡散シート（光拡散シート）、３２…レンズシート、３４…凸シリンドリカルレンズ（レンズ）、ＴＶ…テレビ受信装置
【図１】
2009116097.tif 000003
【図２】
2009116097.tif 000004
【図３】
2009116097.tif 000005
【図４】
2009116097.tif 000006
【図５】
2009116097.tif 000007
【図６】
2009116097.tif 000008
【図７】
2009116097.tif 000009
【図８】
2009116097.tif 000010
【図９】
2009116097.tif 000011